(57)【要約】【課題】簡易に設置でき、紙粉の除去効率が高く、かつ工場内の環境改善にも寄与できるダンボールシートの切込溝の紙粉除去装置を提供する。【解決手段】搬送路を搬送されるダンボールシートＳの上方あるいは下方に沿って宛がう開口部２ａと、吸引源に接続される吸気口２ｂとを少なくとも形成し、内部に、粉取用刷毛１ａを周設した円盤状の回転ブラシ１を回転可能に軸支させたボックス本体２と、このボックス体の内部あるいは外部に、回転ブラシ１を回転させる回転駆動源３を付設した構造とし、搬送路上を搬送されるダンボールシートＳに形成した切込溝Ｓ２に、回転ブラシ１を回転状態で挿入させて、紙粉を掻き落し吸引除去する構成にしている。【選択図】図１
2006062079.tif 000002
【特許請求の範囲】
【請求項１】
ダンボールシート加工搬送ラインの搬送路の上方あるいは下方に設置して使用されるダンボールシート用紙粉除去装置であって、
搬送路を搬送されるダンボールシートの上方あるいは下方に沿って宛がう開口部と、吸引源に接続される吸気口とを少なくとも形成し、内部に、粉取用刷毛を周設した円盤状の回転ブラシを回転可能に軸支させたボックス本体を備え、このボックス体の内部あるいは外部に、上記回転ブラシを回転させる回転駆動源を付設した構造とし、上記搬送路上を搬送される上記ダンボールシートに形成した切込溝に、上記回転ブラシを回転状態で挿入させて、紙粉を掻き落し吸引除去する構成にしているダンボールシート用紙粉除去装置。
【請求項２】
請求項１において、
上記回転ブラシは上記ボックス本体内で、回転軸で回転可能に両持ち軸支されており、上記回転駆動源は、上記ボックス本体に収容され、回転力伝達機構を通じて、上記回転軸を回転させることで、上記回転ブラシを回転させる構成にしているダンボールシート用紙粉除去装置。
【請求項３】
請求項１において、
上記回転ブラシは、上記ボックス本体の外部に付設している回転駆動源の回転駆動軸に接続され、上記ボックス本体に片持ち支持された構成にしているダンボールシート用紙粉除去装置。
【請求項４】
請求項２または３において、
上記ボックス本体は、上記開口部あるいは本体側壁にフランジ取付片を設けていることを特徴とするダンボールシート用紙粉除去装置。
【請求項５】
請求項１〜４のいずれかにおいて、
上記回転ブラシの粉取用刷毛は、馬の毛で構成されていることを特徴とするダンボールシート用紙粉除去装置。
【発明の詳細な説明】
【技術分野】
【０００１】
本発明は、ダンボールシートに切込溝を形成した際に、その切込溝に付着した紙粉を回転ブラシによって除去するダンボールシート用の紙粉除去装置の改良に関するものである。
【背景技術】
【０００２】
従来のダンボールシート加工搬送ラインにおいては、スロット加工機でダンボールシートに複数の切込溝を形成したのちに、回転ブラシを使用して、その切込溝に付着した紙粉を除去する紙粉除去装置が知られている。次の特許文献には、回転ブラシを使用した紙粉除去装置が記載されている。
【０００３】
図７は、上記文献に記載した紙粉除去装置を併設したダンボールシート加工ラインの簡略側面図である。なお、ダンボールシートは、図の右側より矢印方向に向かって搬送される。また、図８は、上記文献に記載した紙粉除去装置の全体斜視図である。
【０００４】
図７において、Ａはダンボールシート供給機構、Ｂはダンボールシートの表面に文字等を印刷するための印刷装置、Ｃはダンボールシートに折り曲げ形成用の罫線を施すための罫線加工機、Ｄはダンボールシートに切込溝を形成するためのスロット加工機、Ｅはダンボールシートを罫線が施された箇所で折畳み加工するための折畳み装置である。
【０００５】
ダンボールシート供給機構Ａから１枚ずつ供給されたダンボールシートＳは、上記構成によって、シート表面への印刷、罫線加工、切込溝形成、折畳み加工が、ライン上を搬送されながら順次なされ、ライン出口に設けた載積場所Ｆに、折り畳んだ状態で載積される。
【０００６】
上記文献に記載の紙粉除去装置１００は、スロット加工機Ｄと折畳み装置Ｅとの間に設置され、ダンボールシート加工ラインの上方側に設置した回転ブラシ１０１と、下方側に設置したシート送り用ローラ１０２とを含んで構成されるものである。
【０００７】
この紙粉除去装置１００は、回転ブラシ１０１と、複数条の周溝（不図示）を形成したシート送り用ローラ１０２とを、ダンボールシートの切込溝Ｓ２の隙間を通じて接触するようにラインの上下に配置しており、回転ブラシ１０１を回転させることによって切込溝から除去した紙粉をシート送り用ローラ１０２に付着させ、さらに、ローラ１０２に付いた紙粉を吸引装置（不図示）で吸引するような構造となっている。
【特許文献１】特開２００４−９８２２６号公報
【発明の開示】
【発明が解決しようとする課題】
【０００８】
ところが、この種の紙粉除去装置１００は上記のように、回転ブラシ１０１とシート送り用ローラ１０２の２つの必須構成要素を対にして、搬送路を挟んで上下に対峙させた状態で設置する必要があるため、装置１００の設置場所は、ラインの上方、下方ともに十分にスペースを有した箇所に限られる。特に、シートＳを折畳み加工する折畳み装置Ｅのラインでは、ダンボールシートの両端が下方側（または上方側）に折り畳まれながらシートＳが走行するため、折り畳まれる側には回転ブラシ１０１またはローラ１０２を配設することはできない。
【０００９】
したがって、設置箇所は、スロット加工機Ｄと折畳み装置Ｅの間のごく限られた箇所に制限され、回転ブラシ１０１とシート送り用ローラ１０２とを１つずつ有したユニット装置の構成にすれば、複数の切込溝のそれぞれに対応した複数のユニット装置の全てを、そのような限られた箇所に設置することは不可能である。
【００１０】
また、上記文献では図８に示すように、走行方向に平行に形成された複数の切込溝Ｓ２、Ｓ２に対する複数の回転ブラシ１０１、１０１に対応させて、共用のシート送りローラ１０２を採用してユニット装置化し、１箇所に設置できるように工夫しているが、そのようなユニット装置１００は装置全体が大型化するため、小さなスペースには設置できない。
【００１１】
また、上記文献技術では、シート送りローラ１０２を吸気ボックス１０３で被覆して吸引するようにしているため、ローラ１０２に取り込んだ紙粉は吸引できるが、ローラ１０２に形成した周溝に取り込めずに回転ブラシ１０１に付着したままとなった紙粉は、回転ブラシ１０１が吸気ボックス１０３に囲まれていないため、吸引されることはない。そのため、放置すれば回転ブラシ１０１に付着した紙粉が工場内に飛散するおそれもあり、工場設備環境上の問題がある。
【００１２】
本発明は、上記事情を考慮して提案されたもので、その目的は、簡易に設置でき、紙粉の除去効率が高く、かつ工場内の環境改善にも寄与できるダンボールシートの切込溝の紙粉除去装置を提供することにある。
【課題を解決するための手段】
【００１３】
上記目的を達成するために、請求項１に記載のダンボールシート用紙粉除去装置は、ダンボールシート加工搬送ラインの搬送路の上方あるいは下方に設置して使用されるダンボールシート用紙粉除去装置であって、搬送路を搬送されるダンボールシートの上方あるいは下方に沿って宛がう開口部と、吸引源に接続される吸気口とを少なくとも形成し、内部に、粉取用刷毛を周設した円盤状の回転ブラシを回転可能に軸支させたボックス本体を備え、このボックス体の内部あるいは外部に、回転ブラシを回転させる回転駆動源を付設した構造とし、搬送路上を搬送されるダンボールシートに形成した切込溝に、回転ブラシを回転状態で挿入させて、紙粉を掻き落し吸引除去する構成にしている。
【００１４】
請求項２では、回転ブラシはボックス本体内で、回転軸で回転可能に両持ち軸支されており、回転駆動源は、ボックス本体に収容され、回転力伝達機構を通じて、回転軸を回転させることで、回転ブラシを回転させる構成にしている。
【００１５】
請求項３では、回転ブラシは、ボックス本体の外部に付設している回転駆動源の回転駆動軸に接続され、ボックス本体に片持ち支持された構成にしている。
【００１６】
請求項４では、ボックス本体は、上記開口部あるいは本体側壁にフランジ取付片を設けている。
【００１７】
請求項５では、回転ブラシの粉取用刷毛は馬の毛で構成されていることを特徴とする。
【発明の効果】
【００１８】
請求項１に記載のダンボールシート用紙粉除去装置によれば、回転ブラシによって切込溝に付着した紙粉を掻き落として除去するようにしているので、除去効率はきわめて高く、また回転ブラシをボックス本体で覆うようにしているので、紙粉を工場内に飛散させることなく、吸引源で吸引することができる。
【００１９】
また、１つの回転ブラシを１つのボックスで覆った構造であるため、構造が簡単でコンパクトであり、小さなスペースにも設置できる。さらに、回転ブラシに対峙させて送りローラなどを設ける必要がないため、搬送路の上方または下方のいずれか一方のみに据え置くだけでよい。そのため、ダンボールシートの切込溝ごとに、上方、下方側の少なくとも一方に設置スペースを有した箇所を選択すればよい。
【００２０】
請求項２に記載のダンボールシート用紙粉除去装置によれば、回転ブラシ、回転駆動源のいずれもがボックス本体に収容されているので、扱いが簡単で、かつ加工搬送ラインへの据え付けも簡単にできる。
【００２１】
請求項３に記載のダンボールシート用紙粉除去装置によれば、回転ブラシが片持ち支持された構造であるため、回転駆動源の回転軸に回転ブラシを直接取り付けて使用でき、より構造が簡易化できる。
【００２２】
請求項４に記載のダンボールシート用紙粉除去装置によれば、ボックス本体にフランジ取付片を設けているため、装置の取付が容易である。
【００２３】
請求項５に記載のダンボールシート用紙粉除去装置によれば、粉取用刷毛を静電気の発生しにくい馬の毛によって製するようにしているので、粉取用刷毛に付着した紙粉は容易に引き離され、また、吸引力によって粉取用刷毛に紙粉を残すことなく処理することができる。
【発明を実施するための最良の形態】
【００２４】
以下に、本発明の実施形態について、図面とともに説明する。
【実施例１】
【００２５】
図１は、本発明のダンボールシート用紙粉除去装置（以下、紙粉除去装置ともいう）の設置位置の一例を示したダンボールシート加工搬送ラインの簡略部分側面図であり、図２は図１に示した紙粉除去装置の拡大図、図３は本発明の紙粉除去装置の設置態様の一例を示した斜視図である。なお図１では、ダンボールシート供給機構および折畳み装置の下流側の一部は図示を省略している。また図４（ａ）、（ｂ）には、ダンボールシートＳの切込加工前、加工後の斜視図を示している。なお、図４には切込溝を前後一対に有したものを示しているが、本発明装置では、片側のみに切込溝を有したダンボールシートにも適用可能である。また、ダンボールシートＳは、シートＳに形成された切込溝Ｓ２の切込方向と同一方向に搬送される。
【００２６】
これらの図を参照しながら、本発明のダンボールシート用紙粉除去装置について説明する。
【００２７】
ダンボールシートＳは、ダンボールシート供給機構Ａ（図７参照）から搬送路に１枚ずつ供給され、罫線加工機Ｃの罫線ローラｃによって、折り曲げ形成するための罫線Ｓ１が加工され、その後、搬送路上を搬送され、スロット加工機Ｄに送り込まれて、複数のスロットローラｄによって前後複数対の切込溝Ｓ２、Ｓ２が形成される。切込溝Ｓ２は、スロットローラｄの外周面に装着された切込刃ｄ１、ｄ２によって、前端面と折り曲げ線Ｓ６との間、および後端面と折り曲げ線Ｓ６との間にそれぞれ形成され、その結果、ダンボール箱に組み立てた際の上蓋フラップＳ３、底蓋フラップＳ３が形成される。
【００２８】
紙粉除去装置１０は、上記スロット加工機Ｄの下流側に、搬送されるダンボールシートＳの下方に沿って、モータ３を回転駆動源とする円盤状の回転ブラシ１が、搬送されるダンボールシートＳの前後一対の切込溝Ｓ２に対して下方側より粉取用刷毛１ａを回転状態で挿入できるような位置に設置される。また紙粉除去装置１０は、ダンボールシートＳの下方側を宛がうための開口部２ａを設けたボックス本体２によって、モータ３と回転ブラシ１とを覆い、そのボックス本体２の吸気口２ｂからフレキシブルな吸引ホース（不図示）を通じて、ブロアなどの吸引源（不図示）でボックス本体２内が吸引される構造となっている。
【００２９】
また、回転ブラシ１は、回転軸１ｄを有した円板部１ｂの全周にわたり多数の粉取用刷毛１ａを植設してなるもので、その回転機構は、回転駆動軸３ａをモータ３によって回転させるようにするとともに、粉取用刷毛１ａを取り付けた円板部１ａに一体に固着しているプーリ１ｃまたはスプロケットホイールに対向させて、モータ４側にプーリ３ｂまたはスプロケットホイールを固着し、それらプーリ１ｃ、３ｂ間にベルト１ｅを掛け渡して構成されるものである。
【００３０】
すなわち、回転ブラシ１はボックス本体２内で、回転軸１ｄで回転可能に両持ち軸支され、回転駆動軸３ａ、プーリ１ｃ、３ｂ、ベルト１ｅなどからなる回転力伝達機構を通じて、回転ブラシ１の回転軸１ｄを回転させるようにしたものである。
【００３１】
スロット加工機Ｄから送り出されたダンボールシートＳは、切込溝Ｓ２が形成された際に切込溝Ｓ２内およびその周辺に切りくず（紙粉）が付着したまま残っているが、ダンボールシートＳが紙粉除去装置１０に送り込まれると、回転ブラシ１は、走行するダンボールシートＳの切込溝Ｓ２に対して、切込溝Ｓ２の長さ方向に粉取用刷毛１ａを摺接させながら、切込溝Ｓ２に付着した紙粉を掻き落とす。
【００３２】
回転ブラシ１によって掻き落とされた紙粉は、いったん粉取用刷毛１ａに付着し、その後、遠心力によってボックス本体２内に飛散する。このように、紙粉はボックス本体２内を浮遊し、あるいは粉取用刷毛１ａに一部付着した状態となるが、吸引源の吸引力によってボックス本体２内を負圧にしながら、吸気口２ｂ、ホースを通じて吸引するため、ボックス本体２内の紙粉は紙粉収納容器（不図示）へ収容される。
【００３３】
こうして、紙粉除去装置１０を設けることにより、回転ブラシ１で切込溝Ｓ２に付着した紙粉を除去することができ、さらに、除去した紙粉を工場内に飛散させることなく、吸引源で吸引することができる。
【００３４】
また、この回転ブラシ装置１の粉取用刷毛１ａの材質は、ポリプロピレン、ポリエステル、馬の毛など、いずれであってもよいが、帯電率が少なく静電気の発生しにくい馬毛によって製するようにすれば、粉取用刷毛１ａに付着した紙粉は容易に引き離され、さらに吸引源の吸引力によって、粉取用刷毛１ａやボックス本体２内に紙粉を残すことなく処理することができる。
【００３５】
なお、上記紙粉除去装置１０を通過したダンボールシートＳは、さらに下流の複数の成形ローラｅ・・・を有した折畳み装置Ｅに送り込まれ、搬送路上を走行しながら、これらの成形ローラｅ・・・によって徐々に折り畳まれ、最終的には偏平状に折り畳まれて、載積場所Ｆ（図７参照）に載積される。
【００３６】
図１〜図３の例では、搬送方向に沿って加工された切込溝Ｓ２のうち、前後１対の切込溝Ｓ２に対して設置した装置を示しているが、他の２対の切込溝Ｓ２に対する紙粉除去装置１０は、上記のものと同一位置（供給機からの距離が同一の位置）に設置してもよいが、さらに下流側の例えば折畳み装置Ｅの搬送ラインの適所に設置してもよい。
【００３７】
また、ボックス本体２の側壁にはフランジ取付片２ｃを設けており、このフランジ取付片２ｃを、ダンボールシートＳのガイド用に設けた取付壁ＷにビスＢなどにて固着できるようになっている。なお、フランジ取付片２ｃと取付壁Ｗとの間にパッキン（不図示）を介在させて、紙粉の流出を防止するようにしてもよい。また、ダンボールシートＳを搬送するためのガイド板（不図示）を設け、そこに吊り下げ固定するようにしてもよい。その場合には開口部の周囲にフランジ取付片を取り付ければよい。
【００３８】
なお、図３の２ｄは回転軸１ｄの軸受け、３ｃはモータ３をボックス本体２内で固定するための固定片である。
【００３９】
図５は、３対の切込溝を有したダンボールシートＳに対する、本発明の紙粉除去装置１０の設置位置の例を示した概念図である。図５（ａ）には、スロット加工機Ｄの直下流側に、ダンボールシートＳの両側の前後２対の切込溝Ｓ２に対する紙粉除去装置１０を設置した例を、（ｂ）には、ダンボールシートＳの中央の前後１対の切込溝Ｓ２に対する紙粉除去装置１０を折畳み装置Ｅの適所に設置した例を示している。
【００４０】
すなわち本発明の紙粉除去装置１０は、図５の例で示すように、複数対の切込溝Ｓ２に対して搬送ラインの同一位置に設置する必要はなく、スロット加工機Ｄよりも下流側であれば、別々の場所に設置してもよい。そのため、１対の切込溝Ｓ２ごとに、設置スペースが確保できる箇所を選択して装置１０を設置することができる。
【００４１】
また、図１〜図３の例では、紙粉除去装置１０をラインの下方側に設置したものを示しているが、図５（ｂ）で示した折畳み装置Ｅ側に設置した紙粉除去装置１０のように、搬送路の上方側に設置してもよい。上方、下方いずれかが選択できるので、利便性が高い。
【００４２】
上方側へ設置する場合の紙粉除去設置の設置態様の一例を、図６の斜視図に示す。
【００４３】
図例には、ダンボールシートＳの搬送方向左側の切込溝Ｓ２に対する紙粉除去装置１０Ａを、折畳み装置Ｅの搬送ラインに設置した態様を示している。折畳み装置Ｅの搬送ラインでは、その折畳み装置ＥによってダンボールシートＳは切込溝Ｓ２および罫線Ｓ１に沿って下方側に折り畳まれながら搬送されるため、紙粉除去装置１０をラインの下方側に設置すれば搬送不可となり、そのため、装置１０Ａをラインの上方側に配設している。
【００４４】
また、本例では、省スペース化を図り、装置構成をより簡易にするため、モータ３はボックス本体２の外部に付設している。回転ブラシ１の回転軸１ｄは、このモータ３の回転駆動軸３ａに直接接続され、ボックス本体に片持ち支持された構成となっている。これにより、ボックス本体２も小型化でき、設置スペースの小さな箇所でも設置することができる。
【００４５】
さらに本例では、開口部２ａを末広開口にすることによって、紙粉が搬送方向に飛散することを防止している。
【００４６】
なお、他の構成部については、図１〜図３の例と同様であるため、同一の符号を付して、その説明を割愛する。
【図面の簡単な説明】
【００４７】
【図１】本発明の紙粉除去装置の設置例を示したダンボールシート加工搬送ラインの簡略部分側面図である。
【図２】図１に示す紙粉除去装置の拡大図である。
【図３】本発明の紙粉除去装置の設置態様の一例を示した斜視図である。
【図４】（ａ）はダンボールシートの切込加工前、（ｂ）は切込加工後の斜視図である。
【図５】本発明の紙粉除去装置の設置位置の組合せ例を示した搬送ライン概念図で、（ａ）は、スロット加工機の直下流側に、ダンボールシーＳの両側の前後２対の切込溝に対する紙粉除去装置を設置した例、（ｂ）は、ダンボールシートの中央の前後１対の切込溝に対する紙粉除去装置を折畳み装置の適所に設置した例である。
【図６】本発明の紙粉除去装置の他の設置態様を示した斜視図である。
【図７】ダンボールシート加工ラインの全体および従来の紙粉除去装置の設置箇所を示す側面図である。
【図８】従来の紙粉除去装置の全体斜視図である。
【符号の説明】
【００４８】
１０、１０Ａ      紙粉除去装置
１      回転ブラシ
１ａ      粉取用刷毛
１ｂ      円板部
１ｃ      プーリ
１ｄ      回転軸
１ｅ      ベルト
２      ボックス本体
２ａ      開口部
２ｂ      吸気口
３      回転駆動源（モータ）
３ａ      回転駆動軸
３ｂ      プーリ
【図１】
2006062079.tif 000003
【図２】
2006062079.tif 000004
【図３】
2006062079.tif 000005
【図４】
2006062079.tif 000006
【図５】
2006062079.tif 000007
【図６】
2006062079.tif 000008
【図７】
2006062079.tif 000009
【図８】
2006062079.tif 000010